(57)【要約】【課題】  極めてシンプルな構造で有りながら、ソフトルアー部位と、金属製ルアーヘッドとを容易に適切且つ強固な固定を行うことができる新規なソフトルアー部材の係止構造の開発することを課題としたものである。【解決手段】  本考案のソフトルアー部材２の係止構造３は、錘部材を具えた釣用ルアーＡのヘッド部１０の後端に接続固定されたフレームプレート１５に対して、ソフトルアー部材２を外嵌固定させるための係止構造３に関するものであって、  この係止構造３は、フレームプレート１５の面に設けられた孔部を貫通し法線方向に設けられた線状部材である固定突起３１を平面視でルアーヘッド１前端側に屈曲させた状態に固定されていることを特徴として成るものである。【選択図】図１
0003194952.tif 000002
【実用新案登録請求の範囲】
【請求項１】
錘部材を具えた釣用ルアーのヘッド部の後端に接続固定されたフレームプレートに対して、ソフトルアー部材を外嵌固定させるための係止構造に関するものであって、
この係止構造は、フレームプレートの面に設けられた孔部を貫通し法線方向に設けられた線状部材である固定突起を平面視でルアーヘッド前端側に屈曲させた状態に固定されていることを特徴とするソフトルアー部材の係止構造。
【請求項２】
前記フレームプレートに貫通した固定突起を屈曲した状態で固定するにあたっては、フレームプレートに外嵌めされ、前後に２分割されている一対の保持片で固定突起を挟み込んで組み付け固定させることを特徴とする前記請求項１記載のソフトルアー部材の係止構造。
【請求項３】
前記固定突起は、ソフトルアー部材よりも硬い柔軟性を有する樹脂素材で構成されており、両先端部は、斜め方向に切り落とされるようにして尖っていることを特徴とする前記請求項１または２記載のソフトルアー部材の係止構造。
【請求項４】
錘部材を具えた釣用ルアーのヘッド部と、この後端側に接続固定されたプレート部と、このプレート部に外嵌されるソフトルアー部材とにより構成される釣用ルアーであって、
前記ヘッド部には、その前寄り上方に釣り糸を締結する固定部と、後寄り下方に釣り針を接続させるリング部を有しており、
前記プレート部は、ヘッド部の中央から水平に延びながらヘッド部と末端部との間にソフトルアー部材を係止するための固定突起を貫通させるための貫通孔部を有し、また末端部には釣り針を接続させるための孔部を具えて成り、
前記請求項１から３までのいずれかに記載したソフトルアー部材の係止構造を用いてソフトルアー部材をヘッド部に組み付けられていることを特徴とした組立式釣り用ルアー。
【考案の詳細な説明】
【技術分野】
【０００１】
本考案は、軟質素材で形成されたソフトルアー部材を構成部材の一部に含む釣り用ルアーに関するものである。
【背景技術】
【０００２】
釣り用ルアーとして、軟質素材で形成されたソフトルアーが用いられている。このものは、ＡＢＳ樹脂製などの硬質素材と異なり柔軟な変形が可能であり、これに伴い水中で細かな揺動運動を現出する利点を有している。このため比重の重い金属製の魚体頭部を模したルアーヘッドに対して、繊細な揺動運動を現出させることのできるソフトルアーを用いた魚体尾部を組み合わせたルアーが提案されている。
その一方で軟質素材を用いることに因み、比較的大きな魚が噛み付いた場合には、その鋭い歯によって魚体部を形成しているソフトルアーの部位は大きく損傷してしまい、ユーザは、新しいものに交換するか、あるいはソフトルアーの部位のみを交換を行う必要が生じてしまう。勿論全部を新しいものに替えるのであれば問題ないが、魚体尾部側のソフトルアーのみを交換しようとすると、その挿入方法、固定の方法が煩わしく、製品購入時の適切な組み付けを再現することは容易ではない。勿論、取付作業を考慮してソフトルアーに特別な構造を具えさせたもの（特許文献１）も提案されているが、ソフトルアーの内部形状が複雑になり、本来の繊細な揺動運動が現出しなかったり、その製造コストが上昇してしまうなどの問題があった。
【先行技術文献】
【特許文献】
【０００３】
【特許文献１】特開２０１３−２０８０６１号公報
【考案の概要】
【考案が解決しようとする課題】
【０００４】
本考案は、これらの種々の背景を考慮してなされたものであって、極めてシンプルな構造でありながら、ソフトルアー部位と、金属製ルアーヘッドとを容易に適切且つ強固な固定を行うことができる新規なソフトルアー部材の係止構造の開発することを課題としたものである。
【課題を解決するための手段】
【０００５】
請求項１記載のソフトルアー部材の係止構造は、錘部材を具えた釣用ルアーのヘッド部の後端に接続固定されたフレームプレートに対して、ソフトルアー部材を外嵌固定させるための係止構造に関するものであって、
この係止構造は、フレームプレートの面に設けられた孔部を貫通し法線方向に設けられた線状部材である固定突起を平面視でルアーヘッド前端側に屈曲させた状態に固定されていることを特徴として成るものである。
【０００６】
請求項２記載のソフトルアー部材の係止構造は、前記請求項１記載の要件に加え、前記フレームプレートに貫通した固定突起を屈曲した状態で固定するにあたっては、フレームプレートに外嵌めされ、前後に２分割されている一対の保持片で固定突起を挟み込んで組み付け固定させることを特徴として成るものである。
【０００７】
請求項３記載のソフトルアー部材の係止構造は、前記請求項１または２記載の要件に加えて、前記固定突起については、ソフトルアー部材よりも硬い柔軟性を有する樹脂素材で構成されており、両先端部は、斜め方向に切り落とされるようにして尖っていることを特徴として成るものである。
【０００８】
請求項４記載の組立式釣り用ルアーは、錘部材を具えた釣用ルアーのヘッド部と、この後端側に接続固定されたプレート部と、このプレート部に外嵌されるソフトルアー部材とにより構成される釣用ルアーであって、
前記ヘッド部には、その前寄り上方に釣り糸を締結する固定部と、後寄り下方に釣り針を接続させるリング部を有しており、
前記プレート部は、ヘッド部の中央から水平に延びながらヘッド部と末端部との間にソフトルアー部材を係止するための固定突起を貫通させるための貫通孔部を有し、また末端部には釣り針を接続させるための孔部を具えてなり、
前記請求項１から３までのいずれかに記載したソフトルアー部材の係止構造を用いてソフトルアー部材をヘッド部に組み付けられていることを特徴として成るものである。
【考案の効果】
【０００９】
まず請求項１記載の考案によれば、係止構造は、フレームプレートの面に設けられた孔部を貫通し法線方向に設けられた線状部材である固定突起を平面視でルアーヘッド前端側に屈曲させた状態に固定されているので、ソフトルアー部材の自由端側が水流の抵抗を受けて引っ張られるような作用を受けたとき、或いは魚に食い付かれたときであっても、ソフトルアー部材の内周面に固定突起が自ら刺さりこむように作用して、確実な係止状態を発揮でき、ソフトルアー部材が脱落することを防止することができる。
【００１０】
また請求項２記載の考案によれば、フレームプレートに外嵌めした分割されている保持片で固定突起を挟み込んでフレームプレートと組み付け固定するので、保持片の形状に案内されて適切な位置に固定突起を保持することができ、その製造効率を高めることができる。また、柔軟性を具えたソフトルアー部材を係止する係止突起の位置に保持片が存在することによりフレームプレート上が盛り上がった形状となることから、ソフトルアー部材を外側に押し拡げるように作用し、ソフトルアー部材が締め付けけるような収縮状態となるので係止強度をより向上させることができる。
【００１１】
また請求項３記載の考案によれば、前記固定突起は、ソフトルアー部材よりも硬い柔軟性を有する樹脂素材で構成されていることから、ソフトルアー部材をフレームプレート自由端側から外嵌するように差し入れる際に、奥側（前頭部側）に固定突起が倒れ込むように変形し、その差込操作を円滑に行える。また、両先端部は、斜め方向に切り落とされるようにして尖っていることで、所定の位置にソフトルアー部材を嵌めこんだ後に、幾分かソフトルアーを前後に動かすことで、先端の尖った固定突起がソフトルアー部材の内周面に突き刺さり、確実な固定状態とすることができる。
加えて柔軟性を有した樹脂でできた固定突起は、水流により揺動する際に受ける後方へ引き抜く力を受けた場合にも、ソフトルアー部材の内部で適宜に一体的に変形することによって、ソフトルアー部材を切り裂いてしまうようなことがない。
【００１２】
また請求項４記載の考案によれば、柔軟性を有するソフトルアー部材を釣り用ルアーの一部に使用することができるので、水流の抵抗を受けながら繊細な揺動運動を発現させることができ、対象魚に対して活餌のような動きをアピールすることができる。
また消耗しやすいソフトルアー部材のみを新しいものに交換して組み付けることでき、特に取付精度が高いうえに、その作業性に優れた係止構造を具えてることから、購入時の組付精度に劣ることのなく、継続的に最適な組付け状態の釣り用ルアーを提供することができる。
【図面の簡単な説明】
【００１３】
【図１】本考案のソフトルアー部材の係止構造を用いた組立式釣り用ルアーの使用状態を示す説明図である。
【図２】同上を構成するルアーヘッドを示す、側面図、正面図、背面図、平面図である。
【図３】本考案のソフトルアー部材の係止構造を説明するための拡大縦断面図、拡大横断面図である。
【図４】本考案のソフトルアー部材の係止構造を用いた組立式釣り用ルアーの構造を示す分解斜視図である。
【図５】本考案のソフトルアー部材の係止構造の固定突起の作用を示した説明図である。
【図６】本考案のフレームプレートの他の実施の形態を示した側面図である。
【考案を実施するための形態】
【００１４】
本考案を実施するための形態は、以下述べる実施例をその一つとするものであるとともに、この技術思想に基づく種々の改良した実施例も含むものである。
【実施例１】
【００１５】
以下、本考案を図示の実施例に基づいて具体的に説明する。
まず符号Ａは、本願考案のソフトルアー部材の係止構造を用いた組立式釣り用ルアーであって、骨格を成すルアーヘッド１と、このものに組み付けられるソフトルアー部材とが係止構造３によって組付固定されたものである。
以下、これらの構造について説明する。この際に本実施例は、一例として魚体を模した釣り用ルアーＡであり、その説明にあたっては、頭部側を前側、前方として、尾部側を後側、後方とする。また魚体の背中側を上側、上方とし、腹側を下側、下方として説明を行う。
また魚体を模した釣り用ルアーＡの全体構成について説明する中で本願考案のソフトルアー部材２の係止構造３についても説明する。
【００１６】
この釣り用ルアーＡは、図１に示すように、ルアーヘッド１をその骨格部材としている。このルアーヘッド１は、魚体頭部を模した錘部材を兼ね具えるヘッド部１０の後方に、魚体の背骨のようにフレームプレート１５が接続されたような形態を有している。
そしてこのルアーヘッド１のヘッド部１０には、一例としてその上方にラインＬを締結するための締結アイ１１が設けられ、またその下方には、ヘッド部１０の魚体口部から腹部にかけて突き出るように設けられた下部プレート１２が設けられている。この下部プレート１２には、その下方端部寄りに前側の釣り針であるフックＨを連結するための前フック孔１２１が設けられている。
【００１７】
次にこのヘッド部１０に接続固定されているフレームプレート１５について説明する。
このものは、一例として側面視で片下がり状の金属製の平板部材であって、図２に示すようにヘッド部１０の後端面の中央部に平面部を側面方向に沿わせ、一方の片下がり側端部が魚体腹部側に位置するように配置されるものである。
そしてこのフレームプレート１５の中央より幾分か前方寄りの位置には、後述する係止構造３の固定突起３１を受け入れる貫通孔１５０が設けられ、更に腹部側端部にはフックＨを連結するための後フック孔１５１が設けられている。
本実施例においては、図２（ａ）、（ｂ）に示すようにヘッド部１０の締結アイ１１、下部プレート１２、フレームプレート１５とは、板厚１ｍｍ程度の金属板により一体構成するような形態を採っている。即ちこれらの部位が一体的に形成されたプレート片に対して、鉛などの金属がこれを内包するように魚体頭部を形成してルアーヘッド１を一体的に形成している。
【００１８】
次にこのルアーヘッド１に組み付けられるソフトルアー部材２について説明する。このソフトルアー部材２は、一例としてポリ塩化ビニルに対して可塑剤を添加してゼリーのような軟質素材を用いて、頭部を除く魚体を一体的に成型したものである。
このソフトルアー部材２には、図１に示すように前述のフレームプレート１５を受け入れるために、フレームプレート１５の形状に対応した嵌込穴２１が、頭部側端面から魚体腹部側の長手方向の中心位置にかけて片下がり状に形成されている。
そしてこのソフトルアー部材２は、全体としてみると魚体のように前端部から後端部にかけて徐々に小径になりながら、再び拡大する尾ひれのような揺動フィン２２が幾分か下方後ろ側に伸びるように形成されている。
【００１９】
次に上述したルアーヘッド１とソフトルアー部材２との両者を固定するための係止構造３について説明する。
このものは、図３に示すように前記ルアーヘッド１のフレームプレート１５の前後方向の中央部より幾分か前方に設けられた貫通孔１５０に対して線状部材である固定突起３１が貫通し、幾分か前方側への傾斜姿勢をとって固定される。本実施例の２ピースに分かれた固定片３２である雄型固定片３３と雌型固定片３４との上下に対向する短辺には、それぞれに抜け止め機能を具えた嵌込部３３０と、それを受け入れる受孔部３４０を有している。またこれらの固定片３２の長辺側の面には、固定突起３１を所定の位置に案内するためのガイド溝３３１、３４１が設けられている。
なおこの固定突起３１は、フレームプレート１５から突起先端３１０までの張り出し寸法（高さ寸法）は、おおよそヘッド部１０の外周面とほぼ同じ程度に設定されているとともに、この突起先端３１０の形状は、一例として図３（ｂ）に示すようにフレームプレート１５に面する側が斜めに切除されて鋭利な先端部を形成している。
なお本実施においては、この固定突起３１は、釣糸に用いられているナイロン製の線状部材を用いており、一方の固定片３２は、樹脂製の部材を用いており、これにより接着剤を塗布することで、より強固に結合している。
【００２０】
更にこのほかに構成要素として、前フック孔１２１と、後フック孔１５１とに連結される三又形状のフックＨがあるが、周知の構成を有しているので説明を省略する。
以上述べた部材が本願考案に係るソフトルアー部材２の係止構造３と、これを用いた組立式釣り用ルアーＡに関するものであり、以下組立式ルアーの取扱方法を説明しながら、併せて係止構造の作用効果を説明する。
この説明においては、組立式ルアーを一定程度使用したのち、ソフトルアー部材２の交換が必要となった場合の作用手順を示す。
【００２１】
（１）挿着済みのソフトルアー部材２の除去作業
ソフトルアー部材２が損傷もしくは魚が噛み付いたことによるフレームプレート１５の所定位置から移動が生じてしまった場合には、本来のルアーとしての揺動運動が発揮できないために、損傷等したソフトルアー部材２をフレームプレート１５から除去する。
まずフレームプレート１５の下方端部の後フック孔１５１に連結されているフックＨを接続リングＲとともに取り外しておき、ソフトルアー部材２を切除しながらフレームプレート１５から分離させる。このとき、脱落防止としてソフトルアー部材２の内周壁面に突き刺さっている固定突起３１が、除去するソフトルアー部材２とともに無理な力を受け変形しないように行う。
【００２２】
（２）ソフトルアー部材２の嵌込作業と固定作業
そして、新しいソフトルアー部材２の前端側の嵌込穴２１にフレームプレート１５の下端側を差し入れてゆく。このとき係止構造３の固定突起３１は、予めルアーの前方側に偏向していることから、図５（ａ）に示すようにソフトルアー部材２の前端面との当接によりその前方側に押し倒される状態を呈し、そのままソフトルアー部材２の嵌込穴２１に挿入されることになる。この差し込みにあたっては、ソフトルアー部材２を適正な位置よりも幾分か余分に前方に押しやるように置く。その後係止構造３付近を指で軽く挟み込みながら余分に押しやった部分を後方に戻すように何度か前後に移動させる。この操作によりソフトルアー部材２の後方への移動に伴って、図５（ｂ）に示すように前方側に傾倒変形していた固定突起３１が再起しながら、その突起先端３１０がソフトルアー部材２の嵌込穴２１の内周面に突き刺さることによりルアーヘッド１とソフトルアー部材２との係止状態が行われる。
そして、この状態でフレームプレート１５の下端部に設けられた後フック孔１５１に接続リングＲを介してフックＨを接続する。これにより、仮にソフトルアー部材２が損傷し、係止構造３における係止状態が失われたとしてもルアーヘッド１からソフトルアー部材２が完全に脱落することを防ぐことができる。
【００２３】
このような手順により、ルアーヘッド１とソフトルアー部材２とを本願考案の係止構造３を介して一体的に組み付けることにより、本願考案の組立式釣り用ルアーが完成する。
【００２４】
〔他の実施の形態〕
本考案は以上述べた実施の形態を一つの基本的な技術思想とするものであるが、更に次のような改変が考えられる。
まずフレームプレート１５の形状については、上述の実施例においては、ルアーヘッド１の中央から後方に行くにつれて垂れ下がるような形態のものを基本的な実施例として説明したが、図６（ａ）に示すように後方に行くにつれて上方側に反り上がるような形態としても良い。この場合には図示は省略するが、フックＨは、ルアーヘッド１の底部側に１つと、ソフトルアー部材２の上部縁（背中）側に１つずつ配置されることになる。
ソフトルアー部材２については、対象魚に応じた種々のバリエーションを持たせることも可能である。具体的には、大きさ、形状、揺動フィン２２の形状、素材の色や装飾などを異ならせることで、各コンディションに応じた最適な釣り用ルアーを提供することができる。更にまた本実施例においては、いわゆる対象魚の餌となる魚を模した釣り用ルアーを図示して説明したが、これ以外にも餌となるエビなどの小動物の形状とすることも可能である。更にこのようなソフトルアー部材２の形状にバリエーションを持たせた場合には、必要に応じて、フレームプレート１５の形状を変更させることも好ましい。例えば図６（ｂ）に示すようなフレームプレート１５の長手方向の寸法を伸ばすことにより、より長い寸法のソフトルアー部材２を確実に挿着することができる。
【符号の説明】
【００２５】
Ａ      （組立式）釣り用ルアー
Ｈ      フック
Ｌ      ライン
Ｒ      接続リング
１      ルアーヘッド
１０    ヘッド部
１１    締結アイ
１２    下部プレート
１２１  前フック孔
１５    フレームプレート
１５０  貫通孔
１５１  後フック孔
２      ソフトルアー部材
２１    嵌込穴
２２    揺動フィン
３      係止構造
３１    固定突起
３１０  突起先端
３２    固定片
３３    雄型固定片
３３０  嵌込部
３３１  ガイド溝
３４    雌型固定片
３４０  受孔部
３４１  ガイド溝
【図１】
0003194952.tif 000003
【図２】
0003194952.tif 000004
【図３】
0003194952.tif 000005
【図４】
0003194952.tif 000006
【図５】
0003194952.tif 000007
【図６】
0003194952.tif 000008